(57)【要約】      （修正有）【課題】カラオケ歌唱において、ステージで客席に向かってライブコンサートをおこなっている雰囲気を提供する。【解決手段】設定データをあらかじめホール毎に測定して音響データとして保持しておき、カラオケ歌唱時に演奏会場を選択し、当該会場ごとの残響等の音響効果を用いる。更にあらかじめ当該会場で録画された客席映像をヘッドマウントディスプレイ（ＨＭＤ）６を装着して視聴することにより、ライブで歌唱しているような臨場感を味わう。【選択図】図１
2018028646.tif 000002
【特許請求の範囲】
【請求項１】
残響時間等の音響設定ができるカラオケ装置において、
カラオケ装置は、複数の演奏会場の中から１の会場を選択する会場選択手段を持ち、
前記選択手段により選択された会場の残響時間、周波数特性等の音響効果が反映され、
背景映像として当該演奏会場の演奏者目線で表示されることにより、
当該演奏会場で歌唱している臨場感を味わうことができることを特徴とするネットワークカラオケシステム。
【請求項２】
前記請求項１において、
前記カラオケ装置は、前記背景映像として放映される演奏会場の客席を見た映像が、
あらかじめ当該演奏会場で全方位撮影された映像をＶＲ（仮想現実）再生環境で表示することにより、
当該演奏会場で歌唱している臨場感を味わうことができることを特徴とするネットワークカラオケシステム。
【発明の詳細な説明】
【技術分野】
【０００１】
本発明は、カラオケの演奏時に演奏会場を選択して、ライブ体験を疑似的に体験する技術に関する。
【背景技術】
【０００２】
カラオケ技術の発達により、カラオケの演奏時にモニタに表示される映像は、カラオケの楽しみの一つになっており、多彩な映像を充実させることは、カラオケの楽しみとなって来ている。
【０００３】
一方、近年の仮想現実（ＶＲ）に代表される映像技術により、ゲーム市場において仮想的な臨場感が追求されている。あたかも現場にいるような感覚を味わうことができるゲームなどもある。
【０００４】
そこで本発明の発明者は、カラオケの世界においても映像技術を応用してあたかも自分がアーティストになり、ホールやライブスタジオ等で大勢の観客の前で演奏している感覚を味わうためのカラオケシステムの実現を試みた。
【先行技術文献】
【特許文献】
【０００５】
【特許文献１】特開2012-088521号公報
【特許文献２】特開2004-333577号公報
【非特許文献】
【０００６】
【非特許文献１】ClubDAM ライブダムスタジアム  http://www.clubdam.com/livedamstadium/
【発明の概要】
【発明が解決しようとする課題】
【０００７】
特許文献１は、カラオケにおいて、臨場感の高いライブ演奏を疑似的に体験することができる技術を提供することを課題として
本体装置は、楽曲データと、ライブ会場に入場した観客の映像が記録された観客映像データとを再生する。ユーザは、マイクを持って、モニタに表示された観客に特定のフレーズを呼び掛け、特定の動作を行うことによりライブパフォーマンスを行う。マイクは、音声データと、マイクの動き情報を本体装置に送信する。パフォーマンス特定部は、ユーザが特定のフレーズを呼び掛け、かつ、特定のフレーズに対応する動作をユーザが行った場合、ユーザがライブパフォーマンスを行った判定する。反応指示部は、ライブパフォーマンスに対する観客の反応を示す映像及び音声が記録されたリアクションデータの再生を、再生部に指示する。
【０００８】
特許文献２は、臨場感にあふれた観客の映像をムード映像として出力する技術を提供する。演奏会の観客の模様を写した多種多様な映像シーンを集約した観客映像データベースを備え、観客映像データベースの各映像シーンは写っている観客の数量的な規模により複数種類に分類されており、カラオケ楽曲を演奏する際に、その楽曲の演奏履歴情報に基づいて、演奏回数が多いほど顧客規模の大きな分類の映像シーンを選択し、選択した複数の映像シーンを演奏中に順次表示する。
【０００９】
非特許文献１は、ＤＡＭの「ライブ  ダム  スタジアム」というサービスで、歌手のライブ映像付きの歌を選曲すると、コンサート会場の拍手や歓声、雑音などの音声が曲とともに再現される。歌手の映像と観客の様子を別々のモニタに映し出すこともでき、大観衆の前で歌っているような臨場感が楽しめるというものである。
【００１０】
上記の先行技術及び実施例では実際のコンサートライブの雰囲気を視覚において味わうことができるが、ホールに合わせて音響設定を変化させたり、歌いたいホールを選択できるような提案は出願されていない。
【００１１】
これまでのカラオケ演奏は、いつも同じ場所（カラオケ室）・同じ演奏を異なる環境（背景映像など）で再現する物であって、演奏が行われている現場での音楽や映像を再現する物ではなかった。
【課題を解決するための手段】
【００１２】
前記の問題に鑑み、本発明の請求項１は、
残響時間等の音響設定ができるカラオケ装置において、
カラオケ装置は、複数の演奏会場の中から１の会場を選択する会場選択手段を持ち、
前記選択手段により選択された会場の残響時間、周波数特性等の音響効果が反映され、
背景映像として当該演奏会場の演奏者目線で表示されることにより、
当該演奏会場で歌唱している臨場感を味わうことができることを特徴とするネットワークカラオケシステムである。
【００１３】
また、本発明の請求項２は、
前記請求項１において、前記カラオケ装置は、前記背景映像として放映される演奏会場の客席を見た映像が、
あらかじめ当該演奏会場で、全方位撮影で収録された映像をＶＲ（仮想現実）再生環境で表示することにより、
当該演奏会場で歌唱している臨場感を味わうことができることを特徴とするネットワークカラオケシステムである。
【発明の効果】
【００１４】
これにより、歌唱者は、歌唱時にホールを選択することにより、歌唱するアーティストになったつもりで背景映像として、当該ホールのステージからの視界を楽しむだけでなく、当該ホールの現実の音響を楽しむことができる。
【図面の簡単な説明】
【００１５】
【図１】本発明の請求項２の実施例に係る歌唱時のイメージ図。
【図２】本発明の実施例に係るリモコンの音響詳細設定メニューのイメージ図。
【図３】本発明の実施例に係る歌唱楽曲選択時のホール選択のイメージ図。
【図４】本発明の実施例に係るホールデータの例。
【図５】本発明の請求項１の実施例に係る歌唱時のイメージ図。
【図６】本発明の実施例に係る歌唱楽曲選択時のツアー選択時のイメージ図。
【図７】本発明の音響設定に係るエコーのイメージ図。
【図８】ホールにおける音響設定に係るグラフィックイコライザの設定例。
【図９】ホールの音響を再現するためのグラフィックイコライザの設定例。
【発明を実施するための形態】
【００１６】
歌唱者がホールで歌唱する感覚を得るためには、視覚的にホール客席が見えることに加えて、音響的にも各ホールの特性を再現する必要がある。
図４に示すようにホールには様々な音響上の個性がある。
【００１７】
最近のカラオケのリモコン５には図２のような設定メニューがあり、複数バンドによるイコライジングやエコーパラメータ等を設定することができる。
リモコン５のイコライザ機能は、図２の４ようにユーザ設定の簡素化のため４バンドの簡単なパラメータになっているが、このバンドを増やすことでグラフィックイコライザ同等な設定にすることができる。
ここでホールのハウリングを防止するイコライザ設定が図８のようであるとき、当該ホールでの音響を再現するためには、図９のように図８の正負を逆にした設定にすることにより、当該ホールのステージ上で聞こえる音響に近づけることができる。
図７はエコーの速さ、深さを示すイメージであるが、エコーパラメータは、図２のメニューの、エコー「速さ」キー３、エコー「深さ」キー２により設定することができ、このエコーパラメータの設定を用いて、前述したホール毎の残響時間を再現することができる。
【００１８】
これら設定データは、あらかじめホール毎に測定して、ホール毎の音響データとして保持しておき、
歌唱者は、楽曲を選択する際に図３のように歌唱したいホールを選択することで、各ホール固有の音響データを呼び出して歌唱することができる。
【００１９】
これにより歌唱者は、図２のように視覚的にも音響的にもあたかも当該ホールで歌唱しているような感覚を得ることができる。
【００２０】
図１は、本発明の請求項２における歌唱時のイメージで、歌唱者はヘッドマウントディスプレイ（ＨＭＤ）６を装着して歌唱することにより、図５のようにあたかも歌唱者の前ホールの客席が存在するような感覚で歌唱することができる。
【００２１】
また、図６は前記の応用例であり、アーティストのコンサートツアーにおいて、ステージから客席をアーティスト目線で録画収録し、カラオケ歌唱者が歌唱する際にコンサート会場を指定するイメージであり、歌唱者は歌唱時にそのツアー映像を視聴することにより、あたかも歌唱者がコンサートツアーで歌唱しているような感覚を得ることができる。
【符号の説明】
【００２２】
１・・・リモコン音響メニュー
２・・・エコー「深さ」キー
３・・・エコー「速さ」キー
４・・・ミュージック音質キー
５・・・リモコン
６・・・ヘッドマウントディスプレイ（ＨＭＤ）
【図１】
2018028646.tif 000003
【図２】
2018028646.tif 000004
【図３】
2018028646.tif 000005
【図４】
2018028646.tif 000006
【図５】
2018028646.tif 000007
【図６】
2018028646.tif 000008
【図７】
2018028646.tif 000009
【図８】
2018028646.tif 000010
【図９】
2018028646.tif 000011